【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
暗号通貨トランザクションを実行するための安全台帳ネットワークであって、
少なくとも１つのハードウェアプロセッサと、実行可能なコンピュータ可読プログラムコードを有する非一時的機械可読記憶媒体と、を備えており、
前記少なくとも１つのハードウェアプロセッサが、前記コンピュータ可読プログラムコードを実行して、
第１の暗号通貨トークンに関連するトランザクションを行うための少なくとも１つのルールを特定するスマートコントラクトを確証する要求を、前記安全台帳ネットワークによって、受信する処理であり、前記トランザクションの実行には、前記第１の暗号通貨トークンの状態と他の暗号通貨トークンの状態とに基づいて前記第１の暗号通貨トークンの価格を特定することが含まれている、該受信する処理と、
前記スマートコントラクトを確証するか否かを判定する処理と、
前記スマートコントラクトを判定して確証する場合に、
前記安全台帳ネットワークによって管理されている安全台帳を前記スマートコントラクトについて更新する処理と、
前記第１の暗号通貨トークンに関連するトランザクションを実行する要求を前記安全台帳ネットワークによって受信する処理と、
前記スマートコントラクトを前記安全台帳ネットワークによって実行することによって該トランザクションを行う処理と、
該トランザクションの完了について前記安全台帳を更新する処理と、
を実施するように構成されている、
前記安全台帳ネットワーク。
【請求項２】
前記第１の暗号通貨トークンの前記状態には、流通中の前記第１の暗号通貨トークンの全リザーブ（Ｔｒ）が含まれており、前記他のトークンの前記状態には、前記他のトークンの全リザーブ（Ｔｔ）が含まれており、関係がリザーブ比率パラメータ（Ｒｒ）である、請求項１に記載のネットワーク。
【請求項３】
前記トランザクションを行う処理には、前記第１の暗号通貨トークンの価格をＴｒ、Ｔｔ及びＲｒの関数として特定することが含まれている、請求項２に記載のネットワーク。
【請求項４】
前記トランザクションを行う処理には、前記第１の暗号通貨トークンの価格をＴｒ／（Ｔｔ×Ｒｒ）として特定することが含まれている、請求項３に記載のネットワーク。
【請求項５】
前記トランザクションを行う処理には、前記第１の暗号通貨トークンとの交換に与えられるべき前記他のトークンの量を特定することが含まれている、請求項１に記載のネットワーク。
【請求項６】
前記第１の暗号通貨トークンの前記状態には、流通中の前記第１の暗号通貨トークンの全リザーブ（Ｔｒ）が含まれており、前記他のトークンの前記状態には、前記他のトークンの全リザーブ（Ｔｔ）と前記第１の暗号通貨トークン内で交換用に割り当てられた他のトークンの数（Ｈｒ）とが含まれており、関係がリザーブ比率パラメータ（Ｒｒ）である、請求項５に記載のネットワーク。
【請求項７】
前記トランザクションを実行する処理には、前記第１の暗号通貨トークンの価格をＴｒ、Ｔｔ、Ｈｒ及びＲｒの関数として特定することが含まれている、請求項６に記載のネットワーク。
【請求項８】
前記トランザクションを行う処理には、前記他のトークンの量を｛Ｔｒ×（（１＋（−Ｈｔ／Ｔｔ））のＲｔ乗根）−Ｔｒ｝の絶対値として特定することが含まれている、請求項７に記載のネットワーク。
【請求項９】
前記トランザクションを行う処理には、前記他のトークンとの交換に与えられるべき前記第１の暗号通貨トークンの量を特定することが含まれている、請求項１に記載のネットワーク。
【請求項１０】
前記第１の暗号通貨トークンの前記状態には、流通中の前記第１の暗号通貨トークンの全リザーブ（Ｔｒ）が含まれており、前記他のトークンの前記状態には、前記他のトークンの全リザーブ（Ｔｔ）と前記第１の暗号通貨トークン内で交換用に割り当てられた他のトークンの数（Ｈｒ）とが含まれており、関係がリザーブ比率パラメータ（Ｒｒ）である、請求項９に記載のネットワーク。
【請求項１１】
前記トランザクションを行う処理には、前記第１の暗号通貨トークンの価格をＴｒ、Ｔｔ、Ｈｒ及びＲｒの関数として特定することが含まれている、請求項１０に記載のネットワーク。
【請求項１２】
前記トランザクションを行う処理には、前記第１の暗号通貨トークンの量を［Ｔｔ×（（１＋Ｈｔ／Ｔｒ）のＲｒ乗）−Ｔｔ］の絶対値として特定することが含まれている、請求項１１に記載のネットワーク。
【請求項１３】
前記安全台帳ネットワークがブロックチェーンネットワークである、請求項１に記載のネットワーク。
【請求項１４】
前記他のトークンが標準トークンであり、前記第１の暗号通貨トークンが前記スマートコントラクト内において定義されている、請求項１に記載のネットワーク。
【請求項１５】
前記他のトークンの総数が前記第１の暗号通貨トークンの総数の少なくとも１０００倍を超えている、請求項１に記載のネットワーク。
【請求項１６】
前記第１の暗号通貨トークンと前記他のトークンとが別のトークンと関連付けられており、方法には、前記第１の暗号通貨トークンの価格を、前記第１の暗号通貨トークンと前記他のトークンと前記別のトークンとの間の関係に基づいて、特定することが含まれている、請求項１に記載のネットワーク。
【請求項１７】
前記第１の暗号通貨トークンの状態には、前記第１の暗号通貨トークンの残高（Ｂｌ）と、前記第１の暗号通貨トークンの総供給量（Ｔｓ）と、前記第１の暗号通貨トークンを前記他のトークンにリンクするリンクパラメータ（Ｃ）とが含まれている、請求項１に記載のネットワーク。
【請求項１８】
前記第１の暗号通貨トークンの価格を特定することには、前記第１の暗号通貨トークンの価格をＢｌ／Ｔｓ×Ｃとして設定することが含まれている、請求項１７に記載のネットワーク。
【請求項１９】
コンピュータ化された機械に動作を行わせるように実行可能な機械可読命令を記憶した非一時的機械可読媒体であって、前記動作には、
少なくとも１つのタイプの暗号通貨トークンを他のタイプの暗号通貨トークンと交換する動作と、
安全台帳から前記少なくとも１つのタイプの暗号通貨トークンの状態を受信する動作と、
前記非一時的機械可読媒体によってデジタル署名を受信する動作と、
前記非一時的機械可読媒体によって前記デジタル署名の真正性を確認する動作と、
前記少なくとも１つのタイプの暗号通貨トークンの値を、前記他のタイプの暗号通貨トークンに換算して、特定する動作と、
前記少なくとも１つのタイプの暗号通貨トークンをユーザによって制御されるアドレスからオペレータによって制御されるアドレスに移送する動作と、
前記他のタイプの暗号通貨トークンを前記オペレータによって制御される前記アドレスから前記ユーザによって制御される前記アドレスに移送する動作であり、該移送が、前記他のタイプの暗号通貨トークンに換算して前記少なくとも１つのタイプの暗号通貨トークンの値に関連付けられている、該移送する動作と、
前記少なくとも１つのタイプの暗号通貨トークン及び前記他のタイプの暗号通貨の更新された状態を安全台帳に公開する動作と、
が含まれている、前記非一時的機械可読媒体。
【請求項２０】
コンピュータ実行可能コードを記憶した非一時的コンピュータ可読媒体であって、
前記コンピュータ実行可能コードは、少なくとも１つのハードウェアプロセッサによって実行されると、
開始パーティからの要求に基づくトランザクションの要求を受信する処理であり、該要求が第１の暗号通貨トークンとスマートコントラクト生成暗号通貨トークンとの交換を求めるものである、該受信する処理と、
前記コンピュータ可読媒体によってデジタル署名を受信する処理と、
前記コンピュータ可読媒体によって前記デジタル署名の真正性を確認する処理と、
他のトークンのリザーブの状態に基づいて、スマートコントラクト生成暗号通貨トークンの価格を特定する処理と、
トランザクションを実行する処理であり、その際、前記第１の暗号通貨トークンが、ユーザによって制御されるアドレスからオペレータによって制御されるアドレスに移送され、前記スマートコントラクト生成暗号通貨トークンが前記オペレータから前記ユーザに移送される、該実行する処理と、
を行う、
前記非一時的コンピュータ可読媒体。